(57)【要約】【課題】  放射線装置を過般する場合には、動画撮影用の保護部材は重く利便性が悪い。【解決手段】  放射線装置において、筐体内部の集積回路を被曝から保護する保護部材の透過率を変更する。【選択図】  図１
2010066109.tif 000002
【特許請求の範囲】
【請求項１】
放射線を電気信号に変換するセンサと、
前記センサが出力した電気信号を処理する電子部品と、
前記電子部品の少なくとも一部を放射線の被曝から保護するもので、線量透過率を変更可能な保護手段と、
を有することを特徴とする放射線装置。
【請求項２】
前記保護手段の線量透過率の変更を感知する手段と、前記感知した結果に基づいて前記放射線を放射している放射手段が一定以上のフレームレートの曝射をさせない制御手段を有することを特徴とする請求項１に記載の放射線装置。
【請求項３】
前記センサ及び電子部品を内包する筐体をさらに備え、
前記筐体側面に穴を少なくとも一つ有し、前記穴に保護部材を出し入れすることで前記保護手段の線量透過率を変更することを特徴とする前記請求項１又は２のいずれか一項に記載の放射線装置。
【請求項４】
前記筐体を着脱可能に支持する架台装置を更に有し、
前記架台装置が前記保護部材を出し入れすることで前記保護手段の線量透過率を変更することを特徴とする前記請求項１又は２のいずれか一項に記載の放射線装置。
【請求項５】
前記保護手段が、前記保護部材の厚みを変えることを特徴とする前記請求項１に記載の放射線装置。
【請求項６】
前記保護手段が、前記保護部材の材質を変えることを特徴とする前記請求項１に記載の放射線装置。
【発明の詳細な説明】
【技術分野】
【０００１】
本発明は、被検者の透過放射線から放射線画像を得る放射線装置に関し、特に放射線から電子部品を保護する技術に関する。
【背景技術】
【０００２】
近年、撮影画像が瞬時にモニタに表示されるＤＲ（Ｄｉｇｉｔａｌ  Ｒａｄｉｏｇｒａｐｈｙ）などを用いたデジタルＸ線撮影装置が普及している。また、静止画撮影では過般が可能であり、動画撮影では架台装置に支持されるＤＲも開発されつつある。
【０００３】
ところで、放射線検出器を使用して放射線を検出する場合、検出した信号を処理するために集積回路が必要となる。集積回路がチップとして一体形成されたＩＣチップが、駆動中に放射線を浴びると、ＩＣ回路中のトランジスタの劣化が進行し、放射線照射下ではない場合と比較すると、ＩＣチップの寿命が短くなる。
【０００４】
そこで、特許文献１や特許文献２では、ＩＣ毎に放射線を吸収、遮蔽する保護部材を配置することで、ＩＣの劣化を防いでいる。
【特許文献１】特開平９−２８８１８４号公報
【特許文献２】特開２００６−２０２７９１号公報
【発明の開示】
【発明が解決しようとする課題】
【０００５】
ＩＣを被曝保護する部材として、鉛やモリブデン、タングステン等の重金属が主に使用されている。より多くの被曝を保護するためには、この重金属の放射線照射方向の厚みを増加して線量透過率を小さくする必要がある。また、ＩＣの劣化は総被曝量に比例するため、動画撮影時のフレームレートが上がれば上がるほど、ＩＣの総被曝量が増加し、それだけＩＣ被曝を保護する、厚く、重い部材が必要になってくる。
【０００６】
しかし、従来の特開平９−２８８１８４号や特開２００６−２０２７９１号の放射線撮影装置では、静止画、動画兼用の検出器を使用する場合、筐体内の保護部材の量は、被曝の量が大きい動画撮影を想定して決定される。そのため、静止画撮影時も、動画撮影時を想定した保護部材の入った筐体を持ち運ばなければならず、重量が増し、操作性が低減する。また、持ち運べる重量を考慮した保護部材では、ＩＣの寿命が限定され、製品寿命を長く保つことができない。ちなみに、現在用いられている動画撮影には、静止画撮影時の５倍程度の保護部材が必要であり、重量増加により過般して撮像する場合の操作性を下げる要因の一つとなっている。
【０００７】
そこで、本発明の目的は、撮影形態に合わせて筐体内のＩＣへの被曝を保護して、ＩＣの寿命を保ちつつ、筐体の軽量化をすることであり、操作性が向上した放射線装置を提供することにある。
【課題を解決するための手段】
【０００８】
上述した目的を達成するため、本願に係わる発明は、放射線を電気信号に変換するセンサと、
前記センサが出力した電気信号を処理する電子部品と、
前記電子部品の少なくとも一部を放射線の被曝から保護するもので、線量透過率を変更可能な保護手段と、を有する。
【発明の効果】
【０００９】
以上説明したように、保護部材の線量透過率を変更可能にすることにより、過般する場合には操作性が向上し、動画撮影時には電子部品の保護性能をあげることが出来る。
【発明を実施するための最良の形態】
【００１０】
以下、本発明の一実施例について図面を用いて詳細に説明する。
【実施例】
【００１１】
（第一の実施形態）
図１は、本発明の第一の実施形態に係わる放射線撮影装置の構成を示す図である。また、図２は、本発明の第一の実施形態に係わる放射線撮影装置の斜視図である。放射線検出部６は、被検者に向けて放射された放射線１０を検出し電気信号に変換するセンサを有する。ＩＣ８は、放射線検出部６が出力する信号を処理し、照射野領域外に配置されている。ＩＣ基板１２は、電子部品であるＩＣ８からの信号を受け取る。
【００１２】
ＩＣ８は、ＩＣ基板１２上のＩＣに比べて被曝に弱い構成となっている。ケーブル９は、放射線検出部６とＩＣ８、もしくはＩＣ基板１２と信号をやりとりする。
【００１３】
保護部材７は、放射線検出部６を支持している支持基台を兼ねている。保護部材１１は、静止画撮影時のＩＣへの放射線被曝を保護する。筐体１は、放射線検出部６、支持基台７、ＩＣ８、もしくはＩＣ基板８、ケーブル９、保護部材１１、ＩＣ基板１２を内包する。架台装置２は、筐体１と着脱可能で、装着時には筐体１を支持し、位置決めをする。固定具３は、架台装置２に構成されている筐体１を固定する。
【００１４】
保護部材４は、筐体１の内部に構成されているＩＣ８の少なくとも一部を動画撮影時に放射線から保護するものであり、厚みを容易に変更可能で、照射野領域に影響しない配置をとっている。
【００１５】
保護部材支持部５は、保護部材４を支持する。この保護部材支持部５には、保護部材４が設置されているかを判別する図示しないセンサがついている。そのセンサからの信号に基づいて図示しない制御手段は、保護部材４が設置されていない場合には、放射線が一定以上のフレームレートで曝射されないように放射線発生装置を制御する。また、保護部材１１は、筐体内に構成されているため、薄く軽いものが望ましい。一方、保護部材４は、架台装置２内に組み込まれるため、厚みや重さに厳しい制約がなく、被曝保護可能なものであれば良い。すなわち、保護部材４は、保護部材１１と材質の異なる、鋼板などの比較的安価なものを使用することができ、コストダウンにつながる。
【００１６】
以上のような構成により、保護手段を構成する保護部材４を出し入れすることで電子部品８への放射線透過率を変更する。静止画撮影時には、筐体１を架台装置２から取り外して、可搬型の放射線検出器として扱える。また、動画撮影時には、筐体１を架台装置２に装着することで、保護部材４が、動画撮影時の大きな曝射量のＩＣ８への被曝を防ぐことができるような形態となっている。これにより、ＩＣの被曝による劣化を防ぎ、かつ大きな曝射量に対する保護部材を内包しない軽量な筐体を備えた放射線撮影装置を提供できる。
【００１７】
（第二の実施形態）
図３は、本発明の第二の実施形態に係わる放射線撮影装置の構成を示す図である。また、図４は、本発明の第二の実施形態に係わる放射線撮影装置の斜視図である。
【００１８】
第二の実施形態では、前記被検者と前記放射線検出部６との距離を縮めるために筐体がよりコンパクトに設計された時に、動画撮影時に被曝保護を必要とするＩＣが照射野領域内に配置されている。
【００１９】
図３、５において、穴２５は、筐体側面にあり、保護部材４が出し入れされる。筐体の正面カバー２２と筐体の裏面カバー２３と筐体の側面カバ−２０から筐体が構成されている例である。筐体の側面カバー２１は、穴２５をふさぐ為の移動カバーであり、蝶番が片側に付いていて、開閉可能となっている。電気基板２４は、ＩＣ８が乗っている。隙間２６は、筐体内部の放射線検出部６と電気基板２４の間にある保護部材Ｂ４が出し入れ可能に構成され、穴２５と繋がっている。保護部材４は、架台装置２の内部に構成されており、図４に示すように、３０のローラにリードされてスライド式に筐体１を架台装置２に装着すると、隙間２６に保護部材Ｂ４が挿入される構造となっている。そして、筐体１は、保護部材支持部５に突き当てることで位置決めされる。また、電気基板２４や放射線検出部６は隙間２６や穴２５とは隔てた空間としてあり、電気基板２４や放射線検出部６の遮光性や防塵性は保たれている。
【００２０】
以上のような構成により、動画撮影時に、隙間２６に保護部材Ｂ４が配置されることにより、ＩＣ８の動画時の被曝を保護する。これにより、照射野内に配置されたＩＣでも被曝による劣化を防ぐことができる。撮影領域と外形との寸法差を縮めることができ、結果、被検者と前記放射線検出部６との距離を縮めることで、撮影時のアライメントをより細かくとることが可能な放射線撮影装置を提供できる。
【００２１】
（第三の実施形態）
図５は、本発明の第三の実施形態に係わる放射線撮影装置の構成を示す図である。
【００２２】
第三の実施形態では、筐体単体で保護部材の線量透過率を変更する手段を有する。このため、動画時に必要となる保護部材が筐体に設置されていない場合に、筐体内に動画撮影を禁止する機能をつけることによって、ＩＣ８への無駄な被曝を防ぐ。
【００２３】
図５において、２７は、穴２５をふさぐ為のスライドカバーであり、側面カバー２０に沿って開閉可能な手段を有している。２８は、保護部材４が装着されていることを感知するセンサであり、このセンサ２８が保護部材４の装着を認めることで、任意のフレームレート以上の曝射を許可する。
【００２４】
以上のような構成により、動画撮影時には、スライドカバー２７を開き、穴２５に保護部材４を装着することにより、センサ２８が動画撮影を許可し、ＩＣ８の動画時の被曝を保護する。これにより、筐体単体でＩＣ８の被曝による劣化を防ぎ、ＩＣ８の寿命が安定した放射線撮影装置を提供できる。
【００２５】
また、以上ようなフレームレート制限は、第一、第二の実施形態との組合せでも、同様に実施可能である。
【図面の簡単な説明】
【００２６】
【図１】放射線撮影装置の構成図
【図２】架台装置に支持される放射線撮影装置の斜視図
【図３】架台装置に支持される放射線撮影装置
【図４】架台装置に挿入される放射線撮影装置
【図５】放射線撮影装置の構成図
【符号の説明】
【００２７】
１  筐体
２  架台装置
４  保護部材
５  保護部材支持部
６  放射線検出部
７  支持基台
８  ＩＣ
１１  保護部材
１２  ＩＣ基板
２０  側面カバー
２４  電気基板
２５  穴
２６  隙間
２８  センサ
【図１】
2010066109.tif 000003
【図２】
2010066109.tif 000004
【図３】
2010066109.tif 000005
【図４】
2010066109.tif 000006
【図５】
2010066109.tif 000007